(57)【要約】【課題】薬剤の副作用が新たに発生した場合、その薬剤について医師や薬剤師等のユーザー自身によって医薬品データベースの副作用情報を最新のものにすることができ、副作用が新たに発生した薬剤について過去に投与された患者をピックアップすることができる服薬指導支援システム等を提供する。【解決手段】処方内容入力手段Ｐ１と、副作用情報読出手段Ｐ２と、副作用情報チェック手段Ｐ３と、副作用情報出力手段Ｐ４とを含む服薬指導支援システムＡにおいて、追加更新用薬剤情報入力手段Ｐ５と、追加更新用副作用情報入力手段Ｐ６と、医薬品データベース追加更新手段Ｐ７と、検索用処方内容入力手段Ｐ８と、患者情報読出手段Ｐ９と、患者情報検索手段Ｐ１０と、患者情報出力手段Ｐ１１と、追加更新用患者情報入力手段Ｐ１２と、追加更新用処方内容入力手段Ｐ１３と、患者情報データベース追加更新手段Ｐ１４とを含む。【選択図】  図２
2004295414.tif 000002
【特許請求の範囲】
【請求項１】
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む服薬指導支援システムにおいて、
薬剤の副作用及び重複投与並びに相互作用に関する副作用情報を追加更新するための追加更新用薬剤情報を入力する追加更新用薬剤情報入力手段をさらに含むことを特徴とする服薬指導支援システム。
【請求項２】
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、
当該照会された医薬品データベースの副作用情報に対して前記追加更新用副作用情報入力手段で入力された追加更新用副作用情報を追加更新する医薬品データベース追加更新手段と
をさらに含む請求項１記載の服薬指導支援システム。
【請求項３】
患者情報を検索するための検索用処方内容を入力する検索用処方内容入力手段と、
患者に関する患者情報と当該患者に対して処方された処方箋の処方内容とを含む情報を記録した患者情報データベースの患者情報及び当該患者の処方内容を読み出す患者情報読出手段と、
前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、
前記検索用処方内容入力手段で入力された検索用処方内容に対する、前記患者情報検索手段で検索された患者情報を出力する患者情報出力手段と、
患者に対して処方された処方箋の処方内容を追加更新するための追加更新用患者情報を入力する追加更新用患者情報入力手段と、
前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、
当該照会された患者情報データベースの処方内容に対して前記追加更新用処方内容入力手段で入力された追加更新用処方内容を追加更新する患者情報データベース追加更新手段と
をさらに含む請求項１又は２記載の服薬指導支援システム。
【請求項４】
コンピュータを、
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む手段として機能させる服薬指導支援プログラムにおいて、
薬剤の副作用及び重複投与並びに相互作用に関する副作用情報を追加更新するための追加更新用薬剤情報を入力する追加更新用薬剤情報入力手段をさらに含む手段として機能させることを特徴とする服薬指導支援プログラム。
【請求項５】
前記コンピュータを、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、
当該照会された医薬品データベースの副作用情報に対して前記追加更新用副作用情報入力手段で入力された追加更新用副作用情報を追加更新する医薬品データベース追加更新手段と
をさらに含む手段として機能させる請求項４記載の服薬指導支援プログラム。
【請求項６】
前記コンピュータを、
患者情報を検索するための検索用処方内容を入力する検索用処方内容入力手段と、
患者に関する患者情報と当該患者に対して処方された処方箋の処方内容とを含む情報を記録した患者情報データベースの患者情報及び当該患者の処方内容を読み出す患者情報読出手段と、
前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、
前記検索用処方内容入力手段で入力された検索用処方内容に対する、前記患者情報検索手段で検索された患者情報を出力する患者情報出力手段と、
患者に対して処方された処方箋の処方内容を追加更新するための追加更新用患者情報を入力する追加更新用患者情報入力手段と、
前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、
当該照会された患者情報データベースの処方内容に対して前記追加更新用処方内容入力手段で入力された追加更新用処方内容を追加更新する患者情報データベース追加更新手段と
をさらに含む手段として機能させる請求項４又は５記載の服薬指導支援プログラム。
【請求項７】
請求項４から６のいずれかに記載の服薬指導支援プログラムを記録したことを特徴とするコンピュータ読み取り可能な記録媒体。
【発明の詳細な説明】
【０００１】
【発明の属する技術分野】
本発明は、服薬指導支援システム並びに服薬指導支援プログラム及び当該服薬指導支援プログラムを記録したコンピュータ読み取り可能な記録媒体に関する。
【０００２】
【従来の技術】
薬剤は効能を有している反面、通常、副作用も有している。また、複数の薬剤が一時期に患者に投与されたときには、同種の作用を有する複数の薬剤の重複投与による副作用が生じたり、互いに異なる種類の作用を有する複数の薬剤の相互作用による副作用が生じたりすることがある。
【０００３】
従来、医師や薬剤師は、製薬メーカーの発行する薬剤添付文書に記載された情報、例えば、服薬指導書や薬剤情報等の副作用情報に基づいて、患者に対し、処方された薬剤の効能や起こり得る副作用やその対処等について服薬指導を行っている。
【０００４】
このような副作用情報については、従来、患者に対して処方された処方箋の処方内容を入力し、薬剤情報と当該薬剤の副作用及び重複投与並びに相互作用に関する副作用情報とを含む情報を記録した医薬品データベースから読み出された薬剤情報及び当該薬剤の副作用情報、並びに前記入力された処方内容に基づいて薬剤の副作用及び重複投与並びに相互作用をチェックし、前記入力された処方内容に対する、前記チェックされた副作用情報を出力手段（例えばプリンタ等の印刷手段やディスプレイ等の画像表示手段）により表示及び／又は印刷するようなシステム等により、医師や薬剤師が副作用等を判断する際に、処方箋の処方内容が入力されることで副作用情報をチェックされ得るようになっている。そして、かかる従来のシステムでは、医薬品データベースを管理しているシステムハウス等がその医薬品データベースの副作用等の情報を更新している（例えば、特許文献１参照）。
【０００５】
【特許文献１】
特開２００２−１９７１８４号公報
【０００６】
【発明が解決しようとする課題】
従って、薬剤の副作用等が新たに発生した場合、従来のシステムでは、その薬剤について医師や薬剤師等のユーザー自身によって医薬品データベースの副作用等の情報を更新することができない。例えば、重篤な副作用が発生したときには、厚生労働省又は製薬会社より「緊急安全性情報（通称イエローペーパー）」が医師や薬剤師へ配布される。この連絡により、その薬剤に対する処方        が行われる一方、医薬品データベースが既述したようにそれを管理しているシステムハウス等により更新されるが、イエローペーパーが配布された後、その更新された医薬品データベースが医師や薬剤師等のユーザーに届くまでにタイムラグがあり、それまでは医薬品データベースの副作用情報が更新されていないので、最新の副作用情報については、医師や薬剤師等は自己の責務において副作用等の注意を払わなければならない。
【０００７】
また、副作用等が新たに発生した薬剤について過去に投与した患者をピックアップする必要があるが、従来のシステムでは、ユーザー自身によって医薬品データベースの副作用等の情報を更新することができないため、その薬剤について過去に投与された患者をピックアップする機能も持ち合わせておらず、このピックアップ作業は人手によってなされているのが実情である。
【０００８】
本発明は、前記問題に鑑みてなされたもので、薬剤の副作用が新たに発生した場合、その薬剤について医師や薬剤師等のユーザー自身によって医薬品データベースの副作用情報を最新のものにすることができる服薬指導支援システム並びに服薬指導支援プログラム及び当該服薬指導支援プログラムを記録したコンピュータ読み取り可能な記録媒体を提供することを第１の課題とする。
【０００９】
また、本発明は、副作用が新たに発生した薬剤について過去に投与された患者をピックアップすることができる服薬指導支援システム並びに服薬指導支援プログラム及び当該服薬指導支援プログラムを記録したコンピュータ読み取り可能な記録媒体を提供することを第２の課題とする。
【００１０】
【課題を解決するための手段】
本発明は、前記第１の課題を解決するため、次の服薬指導支援システム並びに服薬指導支援プログラム及び当該服薬指導支援プログラムを記録したコンピュータ読み取り可能な記録媒体を提供する。
【００１１】
（１）服薬指導支援システム
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む服薬指導支援システムにおいて、
薬剤の副作用及び重複投与並びに相互作用に関する副作用情報を追加更新するための追加更新用薬剤情報を入力する追加更新用薬剤情報入力手段をさらに含むことを特徴とする服薬指導支援システム。
【００１２】
（２）服薬指導支援プログラム
コンピュータを、
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む手段として機能させる服薬指導支援プログラムにおいて、
薬剤の副作用及び重複投与並びに相互作用に関する副作用情報を追加更新するための追加更新用薬剤情報を入力する追加更新用薬剤情報入力手段をさらに含む手段として機能させることを特徴とする服薬指導支援プログラム。
【００１３】
（３）コンピュータ読み取り可能な記録媒体
前記本発明に係る服薬指導支援プログラムを記録したことを特徴とするコンピュータ読み取り可能な記録媒体。
【００１４】
本発明に係る服薬指導支援システム並びに服薬指導支援プログラム及び記録媒体によると、前記追加更新用薬剤情報入力手段にて、追加更新用薬剤情報を入力するので、薬剤の副作用が新たに発生した場合、その薬剤について医師や薬剤師等のユーザー自身によって医薬品データベースの副作用情報を最新のものにすることができる。
【００１５】
本発明に係る服薬指導支援システムにおいて、前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、当該照会された医薬品データベースの副作用情報に対して前記追加更新用副作用情報入力手段で入力された追加更新用副作用情報を追加更新する医薬品データベース追加更新手段とをさらに含んでいてもよい。
【００１６】
また、本発明に係る服薬指導支援プログラムにおいて、前記コンピュータを、前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、当該照会された医薬品データベースの副作用情報に対して前記追加更新用副作用情報入力手段で入力された追加更新用副作用情報を追加更新する医薬品データベース追加更新手段とをさらに含む手段として機能させてもよい。
【００１７】
前記第２の課題を解決するため、本発明に係る服薬指導支援システムにおいて、患者情報を検索するための検索用処方内容を入力する検索用処方内容入力手段と、患者に関する患者情報と当該患者に対して処方された処方箋の処方内容とを含む情報を記録した患者情報データベースの患者情報及び当該患者の処方内容を読み出す患者情報読出手段と、前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、前記検索用処方内容入力手段で入力された検索用処方内容に対する、前記患者情報検索手段で検索された患者情報を出力する患者情報出力手段と、患者に対して処方された処方箋の処方内容を追加更新するための追加更新用患者情報を入力する追加更新用患者情報入力手段と、前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、当該照会された患者情報データベースの処方内容に対して前記追加更新用処方内容入力手段で入力された追加更新用処方内容を追加更新する患者情報データベース追加更新手段とをさらに含んでいてもよい。
【００１８】
また、本発明に係る服薬指導支援プログラムにおいて、前記コンピュータを、患者情報を検索するための検索用処方内容を入力する検索用処方内容入力手段と、患者に関する患者情報と当該患者に対して処方された処方箋の処方内容とを含む情報を記録した患者情報データベースの患者情報及び当該患者の処方内容を読み出す患者情報読出手段と、前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、前記検索用処方内容入力手段で入力された検索用処方内容に対する、前記患者情報検索手段で検索された患者情報を出力する患者情報出力手段と、患者に対して処方された処方箋の処方内容を追加更新するための追加更新用患者情報を入力する追加更新用患者情報入力手段と、前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、当該照会された患者情報データベースの処方内容に対して前記追加更新用処方内容入力手段で入力された追加更新用処方内容を追加更新する患者情報データベース追加更新手段とをさらに含む手段として機能させてもよい。
【００１９】
このような服薬指導支援システム並びに服薬指導支援プログラム及び記録媒体によると、前記検索用処方内容入力手段にて、検索用処方内容を入力し、前記患者情報検索手段にて、前記患者情報読出手段で読み出された患者情報及び当該患者の処方内容、並びに前記検索用処方内容入力手段で入力された検索用処方内容に基づいて前記患者情報データベースに記録された患者情報を検索し、前記患者情報出力手段にて、前記検索用処方内容入力手段で入力された検索用処方内容に対する、前記患者情報検索手段で検索された患者情報を出力するので、副作用が新たに発生した薬剤について過去に投与された患者をピックアップすることができる。
【００２０】
なお、この場合、前記処方内容入力手段にて、処方内容を入力し、前記副作用情報チェック手段にて、前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックし、前記副作用情報出力手段にて、前記処方内容入力手段で入力された処方内容に対する、前記副作用情報チェック手段でチェックされた薬剤の副作用及び重複投与並びに相互作用に関する副作用情報を出力して得られる副作用情報が所定のもの（例えば重篤な副作用情報）であるときは、前記処方内容入力手段で入力された処方内容を前記検索用処方内容入力手段にシステム上で入力し、過去に投与された患者をピックアップするようにしてもよい。
【００２１】
【発明の実施の形態】
以下、図面に基づき本発明の実施の形態について説明する。
【００２２】
図１は本発明に係る服薬指導支援プログラムの一例Ｐを備える本発明に係る服薬指導支援システムの一例であるコンピュータＡの構成例を示すものである。
【００２３】
このコンピュータＡは、図１に示すように、中央処理装置１、メインメモリ２、ファイル装置３、入力装置４及び出力装置５を備えている。入力装置４は、前記服薬指導支援プログラムＰを記録したコンピュータ読み取り可能な記録媒体６からのプログラム情報を読み出すことができる読出部４１と、マウスやキーボード等の入力部４２とを備えている。ファイル装置３は、前記記録媒体６から読み出されたプログラム情報を記録することができるとともに、かかる服薬指導支援プログラムＰに利用され得る医薬品データベースＭ及び患者情報データベースＮを保存することができるとともに、データベースＭ，Ｎに対しデータを読み出し、書き込みすることができる。メインメモリ２は、ファイル装置３に記録されたプログラム情報を読込むことができ、プログラム作業領域を有している。出力装置５は、ここではディスプレイ等の画像表示装置５１及びプリンタ等の印刷装置５２を備えており、服薬指導支援プログラムＰにより処理された情報を表示及び／又は印刷することができる。また、中央処理装置１は、メインメモリ２に読み込まれた服薬指導支援プログラムＰに基づいて服薬指導支援システム全体を制御することができる。
【００２４】
医薬品データベースＭは、薬剤情報と当該薬剤の副作用及び重複投与並びに相互作用に関する副作用情報とを含む情報を記録したものであり、患者情報データベースＮは、患者に関する患者情報と当該患者に対して処方された処方箋の処方内容とを含む情報を記録したものである。
【００２５】
図１２（Ａ）に医薬品データベースＭのデータ構造を示し、図１２（Ｂ）に患者情報データベースＮのデータ構造を示す。医薬品データベースＭには、図１２（Ａ）に示すように、医薬品名、成分、効能等の薬剤情報及び当該薬剤の副作用情報等が記録されている。患者情報データベースＮには、図１２（Ｂ）に示すように、患者ＩＤ、患者名等の患者情報や、処方日、医薬品名及び投薬数等の処方内容等が記録されている。
【００２６】
服薬指導支援プログラムＰでは、次の（ａ）〜（ｄ）の処理のうちユーザーによって選択された処理が実行される。
（ａ）副作用情報チェック処理
（ｂ）医薬品データベース追加更新処理
（ｃ）患者情報検索処理
（ｄ）患者情報データベース追加更新処理
【００２７】
図２に服薬指導支援プログラムＰの各処理においてコンピュータＡを機能させる各手段の概略ブロック図を示す。
【００２８】
前記（ａ）の副作用情報チェック処理では、コンピュータＡを、処方内容入力手段Ｐ１、副作用情報読出手段Ｐ２、副作用情報チェック手段Ｐ３、副作用情報出力手段Ｐ４として機能させる。
【００２９】
処方内容入力手段Ｐ１では、患者に対して処方された処方箋の処方内容を入力装置４におけるマウスやキーボード等の入力部４２により入力する。
【００３０】
副作用情報読出手段Ｐ２では、ファイル装置３に保存されている前記の医薬品データベースＭの薬剤情報及び当該薬剤の副作用情報を読み出す。
【００３１】
副作用情報チェック手段Ｐ３では、副作用情報読出手段Ｐ２により医薬品データベースＭから薬剤情報及び当該薬剤の副作用情報を読み出すとともに、該副作用情報読出手段Ｐ２で読み出された薬剤情報及び当該薬剤の副作用情報、並びに処方内容入力手段Ｐ１で入力された処方内容に基づいて薬剤の副作用及び重複投与並びに相互作用をチェックする。
【００３２】
副作用情報出力手段Ｐ４では、処方内容入力手段Ｐ１で入力された処方内容に対する、副作用情報チェック手段Ｐ３でチェックされた薬剤の副作用及び重複投与並びに相互作用に関する副作用情報を出力装置５におけるディスプレイ等の画像表示装置５１やプリンタ等の印刷装置５２に出力する。
【００３３】
前記（ｂ）の医薬品データベース追加更新処理では、コンピュータＡを、追加更新用薬剤情報入力手段Ｐ５、追加更新用副作用情報入力手段Ｐ６、医薬品データベース追加更新手段Ｐ７をさらに含む手段として機能させる。
【００３４】
追加更新用薬剤情報入力手段Ｐ５では、薬剤の副作用及び重複投与並びに相互作用に関する副作用情報を追加更新するための追加更新用薬剤情報を入力装置４におけるマウスやキーボード等の入力部４２により入力する。
【００３５】
追加更新用副作用情報入力手段Ｐ６では、副作用情報読出手段Ｐ２により医薬品データベースＭから薬剤情報及び当該薬剤の副作用情報を読み出すとともに、該副作用情報読出手段Ｐ２で読み出された薬剤情報及び当該薬剤の副作用情報、並びに追加更新用薬剤情報入力手段Ｐ５で入力された薬剤情報に基づいて医薬品データベースＭに記録された副作用情報を照会し、当該照会された医薬品データベースＭの副作用情報に対して追加更新用副作用情報を入力する。
【００３６】
医薬品データベース追加更新手段Ｐ７では、当該照会された医薬品データベースＭの副作用情報に対して追加更新用副作用情報入力手段Ｐ６で入力された追加更新用副作用情報を追加更新する。
【００３７】
前記（ｃ）の患者情報検索処理では、コンピュータＡを、検索用処方内容入力手段Ｐ８、患者情報読出手段Ｐ９、患者情報検索手段Ｐ１０、患者情報出力手段Ｐ１１をさらに含む手段として機能させる。
【００３８】
検索用処方内容入力手段Ｐ８では、患者情報を検索するための検索用処方内容を入力装置４におけるマウスやキーボード等の入力部４２により入力する。
【００３９】
患者情報読出手段Ｐ９では、ファイル装置３に保存されている前記の患者情報データベースＮの患者情報及び当該患者の処方内容を読み出す。
【００４０】
患者情報検索手段Ｐ１０では、患者情報読出手段Ｐ９により患者情報データベースＮから患者情報及び当該患者の処方内容を読み出すとともに、該患者情報読出手段Ｐ９で読み出された患者情報及び当該患者の処方内容、並びに検索用処方内容入力手段Ｐ８で入力された検索用処方内容に基づいて患者情報データベースＮに記録された患者情報を検索する。
【００４１】
患者情報出力手段Ｐ１１では、検索用処方内容入力手段Ｐ８で入力された検索用処方内容に対する、患者情報検索手段Ｐ１０で検索された患者情報を出力装置５におけるディスプレイ等の画像表示装置５１やプリンタ等の印刷装置５２に出力する。
【００４２】
前記（ｄ）の患者情報データベース追加更新処理では、コンピュータＡを、追加更新用患者情報入力手段Ｐ１２、追加更新用処方内容入力手段Ｐ１３、患者情報データベース追加更新手段Ｐ１４をさらに含む手段として機能させる。
【００４３】
追加更新用患者情報入力手段Ｐ１２では、患者に対して処方された処方箋の処方内容を追加更新するための追加更新用患者情報を入力装置４におけるマウスやキーボード等の入力部４２により入力する。
【００４４】
追加更新用処方内容入力手段Ｐ１３では、患者情報読出手段Ｐ９により患者情報データベースＮから患者情報及び当該患者の処方内容を読み出すとともに、該患者情報読出手段Ｐ９で読み出された患者情報及び当該患者の処方内容、並びに追加更新用患者情報入力手段Ｐ１２で入力された患者情報に基づいて患者情報データベースＮに記録された処方内容を照会し、当該照会された患者情報データベースＮの処方内容に対して追加更新用処方内容を入力する。
【００４５】
患者情報データベース追加更新手段Ｐ１４では、当該照会された患者情報データベースＮの処方内容に対して追加更新用処方内容入力手段Ｐ１３で入力された追加更新用処方内容を追加更新する。
【００４６】
前記の（ａ）〜（ｄ）の各処理の実行は、後述するサブルーチン処理によりなされる。
【００４７】
図３から図１１はコンピュータＡにて服薬指導支援プログラムＰを実行する場合におけるディスプレイ５１上の表示状態（図３から図７）示した図及び各処理ルーチンの一例の流れを示すフローチャート（図８から図１１）である。
【００４８】
以下、図３から図１１を参照しつつ、本実施形態にかかる服薬指導支援プログラムＰについて説明する。
【００４９】
まず、服薬指導支援プログラムＰを起動させると、ディスプレイ５１上には、複数のメニューを選択可能なメニュー等を備えたメニューウィンドＷ１が表示される（図３参照）。このメニューウィンドＷ１では、「副作用情報チェックａ」、「医薬品データベース追加更新ｂ」、「患者情報検索ｃ」、「患者情報データベース追加更新ｄ」を選択することができ、「終了ｅ」を選択するとプログラムが終了する。
【００５０】
ここで、“ウィンドウ”とは、コンピュータＡの操作画面（ディスプレイ５１）内に、独立して表示される所定領域を有する矩形状の表示領域である。
【００５１】
前記メニューウィンドＷ１の選択メニューのうち「副作用情報チェックａ」がマウス操作によるポインタでクリックされると、図４に示すように、副作用情報チェックウィンドウＷ２が開く。
（ａ）副作用情報チェック処理
図８に副作用情報チェック処理ルーチンの一例のフローチャートを示す。以下、図４に示す副作用情報チェックウィンドウＷ２及び図８に示すフローチャートを参照しながら副作用情報チェック処理の動作を説明する。
【００５２】
図４に示す副作用情報チェックウィンドウＷ２において、処方内容入力手段Ｐ１にて、「処方箋処方内容入力枠ａ１」に処方内容が入力され（ステップＳ１０１）、「副作用情報チェック開始ボタンａ３」がクリックされることで、副作用情報チェック手段Ｐ３にて、副作用情報読出手段Ｐ２により医薬品データベースＭから薬剤情報及び当該薬剤の副作用情報が読み出されるとともに（ステップＳ１０２）、該読出手段Ｐ２で読み出された薬剤情報及び当該薬剤の副作用情報、並びに入力手段Ｐ１で入力された処方内容に基づいて、薬剤の副作用及び重複投与並びに相互作用がチェックされる（ステップＳ１０３）。そして、副作用情報出力手段Ｐ４にて、入力手段Ｐ１で入力された処方内容に対する、チェック手段Ｐ３でチェックされた副作用情報が「副作用情報表示枠ａ２」に表示される（ステップＳ１０４）。このとき「印刷ボタンａ４」がクリックされると、処方内容に対する副作用情報がプリンタ５２にて印刷される（ステップＳ１０４）。そのあと次の入力動作によりステップＳ１０１に戻る（ステップＳ１０５，Ｓ１０６）。このとき「閉じるボタンａ５」がクリックされると（ステップＳ１０６）、この副作用情報チェックウィンドウＷ２が閉じる（ステップＳ１０７）。
【００５３】
図３に示すメニューウィンドＷ１の選択メニューのうち「医薬品データベース追加更新ｂ」がクリックされると、図５に示すように、医薬品データベース追加更新ウィンドウＷ３が開く。
（ｂ）医薬品データベース追加更新処理
図９に医薬品データベース追加更新処理ルーチンの一例のフローチャートを示す。以下、図５に示す医薬品データベース追加更新ウィンドウＷ３及び図９に示すフローチャートを参照しながら医薬品データベース追加更新処理の動作を説明する。
【００５４】
図５に示す医薬品データベース追加更新ウィンドウＷ３において、追加更新用薬剤情報入力手段Ｐ５にて、「薬剤情報入力枠ｂ１」に薬剤情報が入力され（ステップＳ２０１）、「照会ボタンｂ３」がクリックされることで、読出手段Ｐ２により医薬品データベースＭから薬剤情報及び当該薬剤の副作用情報が読み出されるとともに、該読出手段Ｐ２で読み出された薬剤情報及び当該薬剤の副作用情報、並びに入力手段Ｐ５で入力された薬剤情報に基づいて医薬品データベースＭに記録された副作用情報が照会され（ステップＳ２０２）、入力手段Ｐ５で入力された薬剤情報が医薬品データベースＭに有るときは（ステップＳ２０３）、当該照会された医薬品データベースＭの副作用情報が「副作用情報表示入力枠ｂ２」に表示され（ステップＳ２０４）、追加更新用副作用情報入力手段Ｐ６にて、「表示入力枠ｂ２」の副作用情報に対し更新用副作用情報が入力され（ステップＳ２０５）、「追加更新ボタンｂ４」がクリックされることで、当該照会された医薬品データベースＭの副作用情報が入力手段Ｐ６で入力された更新用副作用情報に更新される（ステップＳ２０６）。一方、入力手段Ｐ５で入力された薬剤情報が医薬品データベースＭに無いときは（ステップＳ２０３）、「表示入力枠ｂ２」には何も表示されず、入力手段Ｐ６にて、「表示入力枠ｂ２」に追加用副作用情報が入力され（ステップＳ２０７）、「追加更新ボタンｂ４」がクリックされることで、当該医薬品データベースＭに入力手段Ｐ６で入力された追加用副作用情報が追加される（ステップＳ２０８）。そのあと次の入力動作によりステップＳ２０１に戻る（ステップＳ２０９，Ｓ２１０）。このとき「閉じるボタンｂ５」がクリックされると（ステップＳ２１０）、この医薬品データベース追加更新ウィンドウＷ３が閉じる（ステップＳ２１１）。
【００５５】
図３に示すメニューウィンドＷ１の選択メニューのうち「患者情報検索ｃ」がクリックされると、図６に示すように、患者情報検索ウィンドウＷ４が開く。
（ｃ）患者情報検索処理
図１０に患者情報検索処理ルーチンの一例のフローチャートを示す。以下、図６に示す患者情報検索ウィンドウＷ４及び図１０に示すフローチャートを参照しながら患者情報検索処理の動作を説明する。
【００５６】
図６に示す患者情報検索ウィンドウＷ４において、検索用処方内容入力手段Ｐ８にて、「検索用処方内容入力枠ｃ１」に検索用処方内容が入力され（ステップＳ３０１）、「患者情報検索開始ボタンｃ３」がクリックされることで、患者情報検索手段Ｐ１０にて、患者情報読出手段Ｐ９により患者情報データベースＮから患者情報及び当該患者の処方内容が読み出されるとともに（ステップＳ３０２）、該読出手段Ｐ９で読み出された患者情報及び当該患者の処方内容、並びに入力手段Ｐ８で入力された検索用処方内容に基づいて、患者情報が検索される（ステップＳ３０３）。そして、患者情報出力手段Ｐ１１にて、入力手段Ｐ８で入力された検索用処方内容に対する、検索手段Ｐ１０で検索された患者情報が「患者情報表示枠ｃ２」に表示される（ステップＳ３０４）。なお、過去の患者のピックアップについて、検索用処方内容に処方日を含めることで、所定の期間遡るようにしてもよい。例えば、外来患者に対しては、第１期間（例えば３ヶ月程度）、入院患者に対しては、前記第１期間より短い第２期間（例えば１週間程度）遡るようにしてもよい。このとき「印刷ボタンｃ４」がクリックされると、処方内容に対する患者情報がプリンタ５２にて印刷される（ステップＳ３０４）。そのあと次の入力動作によりステップＳ３０１に戻る（ステップＳ３０５，Ｓ３０６）。このとき「閉じるボタンｃ５」がクリックされると（ステップＳ３０６）、この患者情報検索ウィンドウＷ４が閉じる（ステップＳ３０７）。
【００５７】
図３に示すメニューウィンドＷ１の選択メニューのうち「患者情報データベース追加更新ｄ」がクリックされると、図７に示すように、患者情報データベース追加更新ウィンドウＷ５が開く。
【００５８】
（ｄ）患者情報データベース追加更新処理
図１１に患者情報データベース追加更新処理ルーチンの一例のフローチャートを示す。以下、図７に示す患者情報データベース追加更新ウィンドウＷ５及び図１１に示すフローチャートを参照しながら患者情報データベース追加更新処理の動作を説明する。
【００５９】
図７に示す患者情報データベース追加更新ウィンドウＷ５において、追加更新用患者情報入力手段Ｐ１２にて、「患者情報入力枠ｄ１」に患者情報が入力され（ステップＳ４０１）、「照会ボタンｄ３」がクリックされることで、読出手段Ｐ９により患者情報データベースＮから患者情報及び当該患者の処方内容が読み出されるとともに、該読出手段Ｐ９で読み出された患者情報及び当該患者の処方内容、並びに入力手段Ｐ１２で入力された患者情報に基づいて患者情報データベースＮに記録された処方内容が照会され（ステップＳ４０２）、入力手段Ｐ１２で入力された患者情報が患者情報データベースＮに有るときは（ステップＳ４０３）、当該照会された患者情報データベースＮの処方内容が「処方内容表示入力枠ｄ２」に表示され（ステップＳ４０４）、追加更新用処方内容入力手段Ｐ１３にて、「表示入力枠ｄ２」の処方内容に対し更新用処方内容が入力され（ステップＳ４０５）、「追加更新ボタンｄ４」がクリックされることで、当該照会された患者情報データベースＮの処方内容が入力手段Ｐ１３で入力された更新用処方内容に更新される（ステップＳ４０６）。一方、入力手段Ｐ１２で入力された患者情報が患者情報データベースＮに無いときは（ステップＳ４０３）、「表示入力枠ｄ２」には何も表示されず、入力手段Ｐ１３にて、「表示入力枠ｄ２」に追加用処方内容が入力され（ステップＳ４０７）、「追加更新ボタンｄ４」がクリックされることで、当該患者情報データベースＮに入力手段Ｐ１３で入力された追加用処方内容が追加される（ステップＳ４０８）。そのあと次の入力動作によりステップＳ４０１に戻る（ステップＳ４０９，Ｓ４１０）。このとき「閉じるボタンｄ５」がクリックされると（ステップＳ４１０）、この患者情報データベース追加更新ウィンドウＷ５が閉じる（ステップＳ４１１）。
【００６０】
なお、図１３に示すような副作用情報チェックウィンドウＷ２’において、過去に投与された患者をピックアップするようにしてもよい。すなわち、処方内容入力手段Ｐ１にて、「処方箋処方内容入力枠ａ１」に処方内容が入力され（図８のステップＳ１０１参照）、「副作用情報チェック開始ボタンａ３」がクリックされることで、副作用情報チェック手段Ｐ３にて、副作用情報読出手段Ｐ２により医薬品データベースＭから薬剤情報及び当該薬剤の副作用情報が読み出されるとともに（図８のステップＳ１０２）、該読出手段Ｐ２で読み出された薬剤情報及び当該薬剤の副作用情報、並びに入力手段Ｐ１で入力された処方内容に基づいて、薬剤の副作用及び重複投与並びに相互作用がチェックされ（図８のステップＳ１０３）、副作用情報出力手段Ｐ４にて、入力手段Ｐ１で入力された処方内容に対する、チェック手段Ｐ３でチェックされた副作用情報が「副作用情報表示枠ａ２」に表示される（図８のステップＳ１０４）。このとき、副作用情報が所定のもの（例えば重篤な副作用情報）であるときは、「患者情報検索開始ボタンａ３’」がクリックされることで、入力手段Ｐ１で入力された処方内容が検索用処方内容入力手段Ｐ８にてシステム上で自動的に入力され（図２中鎖線参照）、患者情報検索手段Ｐ１０にて、患者情報読出手段Ｐ９により患者情報データベースＮから患者情報及び当該患者の処方内容が読み出されるとともに（図１０のステップＳ３０２参照）、該読出手段Ｐ９で読み出された患者情報及び当該患者の処方内容、並びに入力手段Ｐ１で入力された処方内容に基づいて、患者情報が検索される（図１０のステップＳ３０３）。そして、患者情報出力手段Ｐ１１にて、入力手段Ｐ１で入力された処方内容に対する、検索手段Ｐ１０で検索された患者情報が「患者情報表示枠ａ２’」に表示される（図１０のステップＳ３０４）。このとき「印刷ボタンａ４」がクリックされると、処方内容に対する副作用情報及び患者情報がプリンタ５２にて印刷される。そのあと「閉じるボタンａ５」がクリックされると、この副作用情報チェックウィンドウＷ２’が閉じるようにしてもよい。
【００６１】
以上説明した服薬指導支援システムＡ並びに服薬指導支援プログラムＰ及び記録媒体６によると、追加更新用薬剤情報入力手段Ｐ５にて、追加更新用薬剤情報を入力し、追加更新用副作用情報入力手段Ｐ６にて、副作用情報読出手段Ｐ２で読み出された薬剤情報及び当該薬剤の副作用情報、並びに入力手段Ｐ５で入力された薬剤情報に基づいて医薬品データベースＭに記録された副作用情報を照会し、当該照会された医薬品データベースＭの副作用情報に対して追加更新用副作用情報を入力し、医薬品データベース追加更新手段Ｐ７にて、当該照会された医薬品データベースＭの副作用情報に対して入力手段Ｐ７で入力された追加更新用副作用情報を追加更新するので、薬剤の副作用が新たに発生した場合、その薬剤について医師や薬剤師等のユーザー自身によって医薬品データベースＭの副作用情報を最新のものにすることができる。例えば、緊急安全性情報（通称イエローペーパー）がユーザーに配布された時点で、ユーザーにより医薬品データベースを更新することが可能であるため、随時システムに反映でき、処方時や投薬時等の服薬指導時において、最新の副作用情報を提供することができる。
【００６２】
また、検索用処方内容入力手段Ｐ８にて、検索用処方内容を入力し、患者情報検索手段Ｐ１０にて、患者情報読出手段Ｐ９で読み出された患者情報及び当該患者の処方内容、並びに入力手段Ｐ８で入力された検索用処方内容に基づいて前記患者情報データベースＮに記録された患者情報を検索し、患者情報出力手段Ｐ１１にて、入力手段Ｐ８で入力された検索用処方内容に対する、検索手段Ｐ１０で検索された患者情報を出力するので、副作用が新たに発生した薬剤について過去に投与された患者をピックアップすることができる。これにより、医師や薬剤師が患者に対してヒアリングを行い（薬剤師がヒアリングを行った場合は処方医／医師へその情報をフィードバックし）、患者に対してスムーズに対応することができる。なお、過去の患者のピックアップについては、通常、外来患者に対しては、例えば３ヶ月程度、入院患者に対しては、例えば１週間程度遡ることが望ましい。
【００６３】
【発明の効果】
以上説明したように本発明によると、薬剤の副作用が新たに発生した場合、その薬剤について医師や薬剤師等のユーザー自身によって医薬品データベースの副作用情報を最新のものにすることができる服薬指導支援システム並びに服薬指導支援プログラム及び当該服薬指導支援プログラムを記録したコンピュータ読み取り可能な記録媒体を提供することができる。
【００６４】
また、本発明によると、副作用が新たに発生した薬剤について過去に投与された患者をピックアップすることができる服薬指導支援システム並びに服薬指導支援プログラム及び当該服薬指導支援プログラムを記録したコンピュータ読み取り可能な記録媒体を提供することできる。
【図面の簡単な説明】
【図１】本発明に係る服薬指導支援プログラムの一例を備える本発明に係る服薬指導支援システムの一例であるコンピュータの構成例を示すものである。
【図２】服薬指導支援プログラムの各処理においてコンピュータを機能させる各手段の概略ブロック図である。
【図３】ディスプレイ上の表示状態を示す図であり、複数のメニューを選択可能なメニュー等を備えたメニューウィンドを示すものである。
【図４】ディスプレイ上の表示状態を示す図であり、副作用情報チェックウィンドウを示すものである。
【図５】ディスプレイ上の表示状態を示す図であり、医薬品データベース追加更新ウィンドウを示すものである。
【図６】ディスプレイ上の表示状態を示す図であり、患者情報検索ウィンドウを示すものである。
【図７】ディスプレイ上の表示状態を示す図であり、患者情報データベース追加更新ウィンドウを示すものである。
【図８】副作用情報チェック処理ルーチンの一例のフローチャートを示すものである。
【図９】医薬品データベース追加更新処理ルーチンの一例のフローチャートを示すものである。
【図１０】患者情報検索処理ルーチンの一例のフローチャートを示すものである。
【図１１】患者情報データベース追加更新処理ルーチンの一例のフローチャートを示すものである。
【図１２】図（Ａ）は医薬品データベースのデータ構造を示す概略図であり、図（Ｂ）は患者情報データベースのデータ構造を示す概略図である。
【図１３】ディスプレイ上の表示状態を示す図であり、図４に示す副作用情報チェックウィンドウの他の例を示すものである。
【符号の説明】
Ａ…服薬指導支援システム  Ｐ…服薬指導支援システム  ６…記録媒体
Ｐ１…処方内容入力手段  Ｐ２…副作用情報読出手段
Ｐ３…副作用情報チェック手段  Ｐ４…副作用情報出力手段
Ｐ５…追加更新用薬剤情報入力手段  Ｐ６…追加更新用副作用情報入力手段
Ｐ７…医薬品データベース追加更新手段  Ｐ８…検索用処方内容入力手段
Ｐ９…患者情報読出手段  Ｐ１０…患者情報検索手段
Ｐ１１…患者情報出力手段  Ｐ１２…追加更新用患者情報入力手段
Ｐ１３…追加更新用処方内容入力手段
Ｐ１４…患者情報データベース追加更新手段
【図１】
2004295414.tif 000003
【図２】
2004295414.tif 000004
【図３】
2004295414.tif 000005
【図４】
2004295414.tif 000006
【図５】
2004295414.tif 000007
【図６】
2004295414.tif 000008
【図７】
2004295414.tif 000009
【図８】
2004295414.tif 000010
【図９】
2004295414.tif 000011
【図１０】
2004295414.tif 000012
【図１１】
2004295414.tif 000013
【図１２】
2004295414.tif 000014
【図１３】
2004295414.tif 000015
【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む服薬指導支援システムにおいて、
薬剤の副作用及び重複投与並びに相互作用に関する副作用情報を追加更新するための追加更新用薬剤情報を入力する追加更新用薬剤情報入力手段をさらに含むことを特徴とする服薬指導支援システム。
【請求項２】
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、
当該照会された医薬品データベースの副作用情報に対して前記追加更新用副作用情報入力手段で入力された追加更新用副作用情報を追加更新する医薬品データベース追加更新手段と
をさらに含む請求項１記載の服薬指導支援システム。
【請求項３】
患者情報を検索するための検索用処方内容を入力する検索用処方内容入力手段と、
患者に関する患者情報と当該患者に対して処方された処方箋の処方内容とを含む情報を記録した患者情報データベースの患者情報及び当該患者の処方内容を読み出す患者情報読出手段と、
前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、
前記検索用処方内容入力手段で入力された検索用処方内容に対する、前記患者情報検索手段で検索された患者情報を出力する患者情報出力手段と、
患者に対して処方された処方箋の処方内容を追加更新するための追加更新用患者情報を入力する追加更新用患者情報入力手段と、
前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、
当該照会された患者情報データベースの処方内容に対して前記追加更新用処方内容入力手段で入力された追加更新用処方内容を追加更新する患者情報データベース追加更新手段と
をさらに含む請求項１又は２記載の服薬指導支援システム。
【請求項４】
前記検索用処方内容入力手段にて入力される前記検索用処方内容は処方日を含み、前記患者情報検索手段は、前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された前記処方日を含む検索用処方内容に基づいて前記患者情報データベースに記録された患者情報を所定の期間遡って検索する請求項３記載の服薬指導支援システム。
【請求項５】
コンピュータを、
患者に対して処方された処方箋の処方内容を入力する処方内容入力手段と、
薬剤情報と当該薬剤の副作用及び重複投与並びに相互作用に関する副作用情報とを含む情報を記録した医薬品データベースの薬剤情報及び当該薬剤の副作用情報を読み出す副作用情報読出手段と、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記処方内容入力手段で入力された処方内容に基づいて薬剤の副作用及び重複投与並びに相互作用をチェックする副作用情報チェック手段と、
前記処方内容入力手段で入力された処方内容に対する、前記副作用情報チェック手段でチェックされた薬剤の副作用及び重複投与並びに相互作用に関する副作用情報を出力する副作用情報出力手段と
を含む手段として機能させる服薬指導支援プログラムにおいて、
薬剤の副作用及び重複投与並びに相互作用に関する副作用情報を追加更新するための追加更新用薬剤情報を入力する追加更新用薬剤情報入力手段をさらに含む手段として機能させることを特徴とする服薬指導支援プログラム。
【請求項６】
前記コンピュータを、
前記副作用情報読出手段により前記医薬品データベースから薬剤情報及び当該薬剤の副作用情報を読み出すとともに、該副作用情報読出手段で読み出された薬剤情報及び当該薬剤の副作用情報、並びに前記追加更新用薬剤情報入力手段で入力された薬剤情報に基づいて前記医薬品データベースに記録された副作用情報を照会し、当該照会された医薬品データベースの副作用情報に対して追加更新用副作用情報を入力する追加更新用副作用情報入力手段と、
当該照会された医薬品データベースの副作用情報に対して前記追加更新用副作用情報入力手段で入力された追加更新用副作用情報を追加更新する医薬品データベース追加更新手段と
をさらに含む手段として機能させる請求項５記載の服薬指導支援プログラム。
【請求項７】
前記コンピュータを、
患者情報を検索するための検索用処方内容を入力する検索用処方内容入力手段と、
患者に関する患者情報と当該患者に対して処方された処方箋の処方内容とを含む情報を記録した患者情報データベースの患者情報及び当該患者の処方内容を読み出す患者情報読出手段と、
前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された検索用処方内容に基づいて前記患者情報データベースに記録された患者情報を検索する患者情報検索手段と、
前記検索用処方内容入力手段で入力された検索用処方内容に対する、前記患者情報検索手段で検索された患者情報を出力する患者情報出力手段と、
患者に対して処方された処方箋の処方内容を追加更新するための追加更新用患者情報を入力する追加更新用患者情報入力手段と、
前記患者情報読出手段により前記患者情報データベースから患者情報及び当該患者の処方内容を読み出すとともに、該患者情報読出手段で読み出された患者情報及び当該患者の処方内容、並びに前記追加更新用患者情報入力手段で入力された患者情報に基づいて前記患者情報データベースに記録された処方内容を照会し、当該照会された患者情報データベースの処方内容に対して追加更新用処方内容を入力する追加更新用処方内容入力手段と、
当該照会された患者情報データベースの処方内容に対して前記追加更新用処方内容入力手段で入力された追加更新用処方内容を追加更新する患者情報データベース追加更新手段と
をさらに含む手段として機能させる請求項５又は６記載の服薬指導支援プログラム。
【請求項８】
前記検索用処方内容入力手段にて入力される前記検索用処方内容は処方日を含み、前記患者情報検索手段は、前記患者情報読出手段により前記患者情報データベースから患者情報及び当該患者の処方内容を読み出すとともに、該患者情報読出手段で読み出された患者情報及び当該患者の処方内容、並びに前記検索用処方内容入力手段で入力された前記処方日を含む検索用処方内容に基づいて前記患者情報データベースに記録された患者情報を所定の期間遡って検索する請求項７記載の服薬指導支援プログラム。
【請求項９】
請求項５から８のいずれかに記載の服薬指導支援プログラムを記録したことを特徴とするコンピュータ読み取り可能な記録媒体。